(57)【要約】【課題】            カップ収納部内でカップ等が異音を発生するのを防止でき、底敷きの設置を容易化し、見栄えを良好にする。【解決手段】        車両のアームレスト１７に装着されるカップホルダーＡであって、有底カップ状のカップ収納部１１を備え、該カップ収納部１１の底部１１ａと周壁部１１ｂとが連続する部位付近に複数の切欠孔１３が形成されたホルダー本体１０の底部１１ａに、外周縁に、前記切欠孔１３に差し込み可能な挿し込み片が突設された底敷き１６を、着脱可能に設置する。【選択図】          図１
2010058766.tif 000002
【特許請求の範囲】
【請求項１】
車両のアームレストに設けられるカップホルダーであって、
有底カップ状のカップ収納部を備え、該カップ収納部の底部と周壁部とが連続する部位付近に単数または複数の切欠孔が形成されたホルダー本体と、
該ホルダー本体のカップ収納部の底部の内径より小径でカップ収納部の底部に設置可能な外径の弾性シートで形成され、外周縁に、カップ収納部の底部に設置したときカップ収納部の内側から外側に向かって前記切欠孔に差し込み可能な挿し込み片が突設され、カップ収納部の底部に着脱可能な底敷きと、
を備えることを特徴とする車両用アームレストのカップホルダー。
【請求項２】
前記底敷きは、吸水性を備えることを特徴とする請求項１記載の車両用アームレストのカップホルダー。
【発明の詳細な説明】
【技術分野】
【０００１】
本発明は、車両用アームレストのカップホルダーに関し、特に、ホルダー本体のカップ収納部の底部に、底敷きを着脱可能とした車両用アームレストのカップホルダーに関する。
【背景技術】
【０００２】
車両、例えば乗用車には、図６に示すようなシートが設置され、このシート１は乗員が着座するシートクッション２と乗員の背もたれ部となるシートバック３とから構成されている。また、シートバック３の略中央部には凹所４が設けられ、この凹所４にアームレスト５が収納されている。
【０００３】
このアームレスト５は、その凹所４内への収納位置と乗員の肘掛け位置との間を回動可能となっており、アームレスト５は、不使用時は凹所４内に収納し、使用時にはシートクッション２上に前倒しして肘掛けとして使用する。かかる機能を可能にするためアームレスト５は、凹所４内部でヒンジ機構を介して回動自在に取り付けられる。なお、このアームレスト本体５の機能を高めるために、アームレスト本体５の使用状態の上面側に、図７に示すようにテーブルを兼用するプレート状リッド８を上乗せするものが提案されている。
【０００４】
また、アームレスト本体５の前端側には、例えば、カップや図示のようなドリンク缶Ｋなどの飲物用容器Ｋ（以下、ドリンク缶Ｋと称す。）底部を保持する底面ホルダ板６と、ドリンク缶Ｋの胴部を保持する針金製の胴部保持枠７が取り付けられている（例えば、特許文献１参照）。
【特許文献１】特開２００１‐２５３２９０号公報
【発明の開示】
【発明が解決しようとする課題】
【０００５】
しかしながら、従来の車両におけるアームレスト用のカップ保持機構にあっては、ドリンク缶Ｋの底部を底部ホルダ板６上に直接保持させる構成であり、しかもドリンク缶の胴部を針金製の胴部保持枠７で支える構成であるため、車両走行中における車体の振動に伴って、ドリンク缶Ｋの底部および胴部において、底部ホルダ板６および胴部保持枠７に対する接触部で、ガタガタ音を含むさまざまな異音を発生し、耳障りとなる。
また、ドリンク缶Ｋの底部を底部ホルダ板６上に直接保持させる構成であるため、ドリンク缶Ｋの外周側面に発生した水滴が、底部ホルダ板６上に流下し、底部ホルダ板６上に溜まり、飲むときにドリンク缶Ｋに付着し洋服や車内に落下し、濡らしたり汚したりする。
さらに、従来の底部ホルダ板６上を吸水性としても、取り替えが不可か大変なため、底部ホルダ板６上が吸水、乾燥を繰り返すうちに変形し、使用ができなくなっても取り替えが容易ではない不具合もある。
【０００６】
本発明は前記のような従来の問題点に着目してなされたものであり、緩衝機能を持つ底敷きの設置によって、カップ収納部内でカップが振動、移動または変動した際に振動音などの異音が発生することを効果的に防止できるとともに、底敷きに吸水性能を持たせ水滴の発生による弊害を防止し、また、底敷きが吸水、乾燥を繰り返し変形しても容易に取り替えが可能であり、さらに、この底敷きの設置が容易で、アームレストの見栄えを良好にできる車両用アームレストのカップホルダーを得ることを目的とする。
【課題を解決するための手段】
【０００７】
前記目的達成のために、本発明にかかる車両用アームレストのカップホルダーは、車両のアームレストに設けられるカップホルダーであって、
有底カップ状のカップ収納部を備え、該カップ収納部の底部と周壁部とが連続する部位付近に単数または複数の切欠孔が形成されたホルダー本体と、
該ホルダー本体のカップ収納部の底部の内径より小径でカップ収納部の底部に設置可能な外径の弾性シートで形成され、外周縁に、カップ収納部の底部に設置したときカップ収納部の内側から外側に向かって前記切欠孔に差し込み可能な挿し込み片が突設され、カップ収納部の底部に着脱可能な底敷きと、
を備えることを特徴とする。
【０００８】
この構成により、車両用アームレストのカップホルダーを構成する有底カップ状のカップ収納部を備えるホルダー本体をアームレストのホルダ収納凹部にネジ止め等によって装着することで、ホルダー本体のカップ収納部がアームレストを傾けても位置ずれしたり落下したりしないように固定できる。また、そのカップ収納部に形成された複数の切欠孔には、底敷きに突設された挿し込み片が挿入可能である。従って、この底敷きを手で摘んで湾曲させるように撓ませ、その挿し込み片の先端を前記切欠孔に差し込んだ上で、摘んだ力を解放することで、底敷きをカップ収納部の底部に簡単、迅速に設置または取り外すことができる。
【０００９】
また、この底敷きの設置によって、この底敷きの上に設置されたカップの底が直接カップ収納部の底面に接触しないため、そのカップの底と前記カップ収納部の底部との間で車両の走行時に振動音などの異音が発生することを確実に回避することができる。また、前述のような底敷きの取り付けによって、アームレストを傾けた場合においても、この底敷きが落下することもない。なお、前記底敷きの交換は、この底敷きの装着の操作と逆の操作によって容易に実施可能である。
【００１０】
また、本発明の前記底敷きは、吸水性を備えることを特徴とする。
この構成によりカップホルダーに収納したドリンク缶Ｋに水滴が発生しても底敷きが吸水し、飲むときに水滴が落下しないし、底敷きが吸水、乾燥を繰り返して変形しても容易に取り替えることができる。
【発明の効果】
【００１１】
以上の通り、本発明によれば、次のような効果を奏する。
（１）底敷きの設置によって、ホルダー本体のカップ収納部内でドリンク缶Ｋ等が振動、移動または変動する際に異音が発生することを効果的に防止できる。
（２）底敷きは、ホルダー本体のカップ収納部の底部に着脱自在となっているので、底敷きの設置および取り替えを容易に実施できる。
（３）ホルダー本体のカップ収納部に載置収納したドリンク缶Ｋ等に水滴が発生しても、底敷きで吸水することができ、飲むときに水滴による弊害を防止することができる。
（４）底敷きが吸水、乾燥の繰り返しで変形しても、容易に取り替えることができる。
（５）さらにアームレストにおけるカップホルダーの見栄えを良好に保つことができる。
【発明を実施するための最良の形態】
【００１２】
以下に、本発明の実施形態による車両用アームレストのカップホルダーを、図面を参照して詳細に説明する。
図１は、本発明の実施の形態による車両用アームレストのカップホルダーＡを示す斜視図、図２は、図１におけるカップ収納部の底部に装着する底敷きを示す斜視図、図３は、図１に示すカップ収納部に底敷きを装着した状態の断面図、図４は、本実施の形態の実施に用いるアームレストの斜視図、図５は、本実施の形態によるカップホルダーを取り付けたアームレストの斜視図である。
【００１３】
同図に示すように本発明の車両用アームレストのカップホルダーＡは、有底カップ状のカップ収納１１を備え、該カップ収納部１１の底部１１ａと周壁部１１ｂとが連続する部位付近に複数（これは単数でもよい。）の切欠孔１３が形成されたホルダー本体１０と、該ホルダー本体１０のカップ収納部１１の底部１１ａの内径より小径でカップ収納部１１の底部１１ａに設置可能な外径の弾性シートで形成され、外周縁に、カップ収納部１１の底部１１ａに設置したときカップ収納部の内側から外側に向かって前記切欠孔１３に差し込み可能な挿し込み片１６ｂが突設されたカップ収納部１１の底部１１ａに着脱可能な底敷き１６と、を備える。
【００１４】
本実施の形態による車両用アームレストのカップホルダーＡは、図１および図３に示すように、ホルダー本体１０が、２つのカップ収納部１１を、一枚の平板部１２内に一体に連接したものからなり、例えば、プラスチックの成形品として得られる。これらのカップ収納部１１および平板部１２は容易に曲がったり変形したりしない硬さを持ち、必要に応じて着色や、模様などが施される。
【００１５】
カップ収納部１１は、有底のカップ状で上方の開口部側から底部１１ａにかけて、周壁部１１ｂの内径が徐々に細くなる円筒状をなす。これは内径が上方から下方にかけて同一の円筒状でもよい。そして、底部１１ａと周壁部１１ｂとが連続する部位付近には、例えば２箇所または４箇所に所定幅の細めの切欠孔１３が等間隔に配置されている。
【００１６】
また、底部１１ａおよび周壁部１１ｂには、これらの貫通するように、複数の通気孔１４が設けられており、カップの外周面が周壁部１１ｂの内周面に密接した場合でも、カップ収納部１１内へのカップ等の出し入れを容易にしている。なお、底部１１ａからの水滴の落下や漏れを避けるために、通気孔１４のサイズを小さく抑えるようにしてもよい。
【００１７】
底部１１ａの中心部にはネジ止め用孔１５が設けられている。このネジ止め用孔１５にネジが通されることで、アームレスト側のホルダ収納凹部にカップホルダＡをネジ止めすることができる。これにより、ホルダ収納凹部内でカップホルダが移動しないように固定することができる。
【００１８】
図２は、底敷き１６を示し、これがゴムシートや所定の柔らかさを持つ発泡性樹脂の弾性シート材からなる。この底敷き１６は、円板部１６ａの外周に一対の挿し込み片１６ｂを一体に突設してなり、全体として緩衝機能を有する。この底敷き１６が、吸水性を有すると、収納したドリンク缶Ｋに水滴が生じて流下しても、吸収できるのでさらに好ましい。吸水性能は、従来公知の手段を採用することで実現できる。例えば、吸水性に富む弾性シートや吸水性に富む合成紙の使用を挙げることができる。
【００１９】
この底敷き１６は、図３中の２点鎖線で示すように、人が指先で、底敷き１６自体の段発力に抗して湾曲させ、挿し込み片１６ｂの先端を前記カップ収納部内の切欠孔１３に対峙させ、指先の力を抜くことで、その挿し込み片１６ｂを前記弾発力（復元力）を利用して、切欠孔１３に貫通または嵌合させることができる。
【００２０】
従って、底敷き１６のカップ収納部１１の底部１１ａへの装着が簡単、迅速に行えるほか、アームレストを傾けた場合に、底部１１ａから底敷き１６が脱落する惧れはない。また、この底敷き１６のカップ収納部１１からの取り外しも前記取付け時の操作と逆の操作において簡単、迅速に行うことができ、従って底敷き１６の交換が容易となる。
また、底敷き１６は弾性を有するため、これの上に載せたカップとの間で外部振動に基づく騒音や異音が発生することもない。
【００２１】
そして、図３に示すように構成された車両用アームレストのカップホルダーＡは、図４に示すようなアームレスト１７に形成された載置台部１８の２つのホルダー収納凹部１９に、前記２つのカップ収納部１１がそれぞれ嵌まり込むように載置される。このとき、カップ収納部１１周辺の平板部１２がホルダ収納凹部１９の開口部周辺に支持される。
【００２２】
これにより、この車両用アームレストのカップホルダーＡは、図５に示すように、載置台部１８上に載置され、底部１１ａに形成されたネジ止め孔１５にネジ（図示しない）を通して載置台部１８にネジ込むことで、安定保持される。
【００２３】
このように、本実施の形態による車両用アームレストのカップホルダーＡは、アームレスト１７に設けられたホルダ収納凹部１９に装着されるものであって、ホルダ収納凹部１９にホルダー本体１０の有底のカップ収納部１１を装着し、カップ収納部１１の底部１１ａと周壁部１１ｂとが連続する部位付近に複数の切欠孔１３を形成し、カップ収納部１１の底部１１ａに着脱可能に、周壁部１１ｂの内側から外側に向かって切欠孔１３に差し込み可能な挿し込み片１６ｂを有する底敷き１６を設置した構成である。
【００２４】
この底敷き１６の設置によって、カップ収納部内でカップが振動、移動または変動した際に振動音などの異音が発生することを効果的に防止できるとともに、この底敷き１６の設置が容易で、カップホルダおよびアームレストの見栄えを良好に保つことができる。
【００２５】
なお、前記実施の形態は、本発明を制限するものではなく、本発明は要旨を逸脱しない範囲において種々の変更が許容される。例えば、前記実施の形態では、アームレスト１７に設けたホルダー収納凹部１９に、ホルダー本体１０のカップ収納部１１を嵌入して装着する構成を示したが、これはホルダー本体１０をアームレストに設けたフレーム等に固着して取付けてもよい。例えば、ホルダー本体１０の平板部１２を、アームレストに設けたフレームに固着する構成でもよい。また、本発明は、フロントシートおよびバックシートのいずれのアームレストに設けてもよいし、いずれか片方でもよい。
【産業上の利用可能性】
【００２６】
本発明は、底敷きの設置によって、カップ収納部内でカップやドリンク缶などのが移動または変動し難くしながら、移動または変動した場合には振動音などの異音が発生することを効果的に防止できるとともに、この底敷きの設置が容易で、アームレストの見栄えを良好に保つことができるという効果を有し、車両用アームレストのカップ収納部にカップやドリンク缶などを収納保持する車両用アームレストのカップホルダー等に有用である。
【図面の簡単な説明】
【００２７】
【図１】本発明の実施の形態による車両用アームレストのカップホルダーを示す斜視図である。
【図２】図１におけるホルダー本体のカップ収納部の底部に装着する底敷きを示す斜視図である。
【図３】図１に示すホルダー本体のカップ収納部に底敷きを装着した状態の断面図である。
【図４】本実施の形態の実施に用いるアームレストの斜視図である。
【図５】本実施の形態による車両用アームレストのカップホルダーを取り付けたアームレストの斜視図である。
【図６】従来の乗用車のシートを示す斜視図である。
【図７】従来のアームレストを示す斜視図である。
【符号の説明】
【００２８】
Ａ  アームレスト用カップホルダ
１０  ホルダー本体
１１カップ収納部
１１ａ  底部
１１ｂ  周壁部
１２  平板部
１３  切欠孔
１４  通気孔
１５  ネジ止め孔
１６  底敷き
１６ａ  円板部
１６ｂ  挿し込み片
１７  アームレスト
１９  ホルダ収納凹部
【図１】
2010058766.tif 000003
【図２】
2010058766.tif 000004
【図３】
2010058766.tif 000005
【図４】
2010058766.tif 000006
【図５】
2010058766.tif 000007
【図６】
2010058766.tif 000008
【図７】
2010058766.tif 000009